(57)【要約】      （修正有）【課題】干潟で育成される底生生物を外敵から守るべく底生生物を覆うように設置される保護具を提供する。【解決手段】開口する下面と、第１水位において第１端辺１１１Ｅが水面から現れ、前記第１水位より低い第２水位において、第１端辺１１１Ｅとは反対側の第２端辺１１１Ｅが水面から現れるように傾斜する上面と、前記下面と前記上面の間に設けられる側面と、で構成されるとともに、前記上面に柵又はネットが設けられる保護具本体１１０と、水面に浮きながら、前記第１水位から前記第２水位へ移行するにつれて、前記第１端辺１１１Ｅから前記第２端辺１１１Ｅに向かって、前記上面上の付着物を取り除くように前記上面上を移動する清掃部材１３０と、を備える。【選択図】図２
2018068129.tif 000002
【特許請求の範囲】
【請求項１】
干潟で育成される底生生物を外敵から守るべく前記底生生物を覆うように設置される保護具であって、
開口する下面と、第１水位において第１端辺が水面から現れ、前記第１水位より低い第２水位において、前記第１端辺とは反対側の第２端辺が水面から現れるように傾斜する上面と、前記下面と前記上面の間に設けられる側面と、で構成されるとともに、前記上面にネット又は柵が設けられる保護具本体と、
水面に浮きながら、前記第１水位から前記第２水位へ移行するにつれて、前記第１端辺から前記第２端辺に向かって、前記上面上の付着物を取り除くように前記上面上を移動する清掃部材と、
を備えることを特徴とする保護具。
【請求項２】
請求項１に記載の保護具であって、
前記清掃部材を前記上面に沿って案内するように、前記上面の両側部に設けられるガイド部材と、
を有して構成されることを特徴とする保護具。
【請求項３】
請求項１又は請求項２に記載の保護具であって、
前記清掃部材は、
筒型を呈し、水に浮く樹脂材料で形成される本体部材と、
前記本体部材の両端部を前記ガイド部材に連接する連接部材と、
を有して構成されることを特徴とする保護具。
【請求項４】
請求項１又は請求項２に記載の保護具であって、
前記清掃部材は、
筒型を呈する本体部材と、
前記本体部材の両端部を前記ガイド部材に連接する連接部材と、
前記本体部材に浮力を与えるべく、前記本体部材に装着されるフロート部材と、
を有して構成されることを特徴とする保護具。
【請求項５】
請求項１〜４のいずれかに記載の保護具であって、
前記清掃部材は、前記上面上を移動するときに、前記上面に付着している付着物をはぎ取るためのブラシ部を有する
ことを特徴とする保護具。
【請求項６】
請求項１〜４のいずれかに記載の保護具であって、
前記保護具本体の前記側面にネット又は柵が設けられる
ことを特徴とする保護具。
【請求項７】
請求項１〜６のいずれかに記載の保護具であって、
前記保護具本体を干潟に固定するための固定部材と、
をさらに備えて構成される保護具。
【発明の詳細な説明】
【技術分野】
【０００１】
本発明は、保護具に関する。
【背景技術】
【０００２】
例えば、漁網に付着するヒドロ虫類や海藻類を、漁網から剥離する水中漁網洗浄装置が知られている。（例えば特許文献１）。
【先行技術文献】
【特許文献】
【０００３】
【特許文献１】特開２０１１−１２５２６２号
【発明の概要】
【発明が解決しようとする課題】
【０００４】
特許文献１に係る水中漁網洗浄装置は、水中において漁網両面を洗浄するために、洗浄用具を漁網に接触させながら、垂直移動および水平移動させる。洗浄用具は、漁網を挟み込むように対置され、巻上装置の駆動により移動し、漁網を洗浄する。また、水中漁網洗浄装置は、洗浄装置の移動を制限するために、洗浄装置が網底に到達すること、又は、浮体に到達すること、を検出することにより、巻上装置に停止用の制御信号を出力する。
【０００５】
しかし、このような水中漁網洗浄装置では、水中に垂下する網の付着物の剥離には利用できるものの、干潟などにおいて、干潮時に陸地に露出する網の付着物の剥離には利用できない。このように、干潟に生息する底生生物を捕食動物から保護する網では、満潮時には水没し、干潮時には陸地に露出するために、陸地に露出するときに泥やヘドロが付着するが、その泥やヘドロを剥離できないという状況が生じている。これにより、泥やヘドロが付着している網の影響で、底生生物に自然環境よりも劣悪な環境を与えてしまうため、作業員が干潮時に、底生生物を保護する網を洗浄するなどの手間を要していた。
【課題を解決するための手段】
【０００６】
前述した課題を解決する主たる本発明は、干潟で育成される底生生物を外敵から守るべく前記底生生物を覆うように設置される保護具であって、開口する下面と、第１水位において第１端辺が水面から現れ、前記第１水位より低い第２水位において、前記第１端辺とは反対側の第２端辺が水面から現れるように傾斜する上面と、前記下面と前記上面の間に設けられる側面と、で構成されるとともに、前記上面に柵又はネットが設けられる保護具本体と、水面に浮きながら、前記第１水位から前記第２水位へ移行するにつれて、前記第１端辺から前記第２端辺に向かって、前記上面上の付着物を取り除くように前記上面上を移動する清掃部材と、を備えることを特徴とする。
【０００７】
本発明の他の特徴については、添付図面及び本明細書の記載により明らかとなる。
【発明の効果】
【０００８】
本発明によれば、潮の満ち引きを利用して、網から泥やヘドロを剥離することができる。さらに、巻上装置などの駆動装置を用いることなく洗浄できるため、設置が容易である。よって、電気を用いず、潮の満ち引きを利用して、網に付着した泥などを容易に剥離することができるため、作業員の作業効率の向上が図れる。
【図面の簡単な説明】
【０００９】
【図１】第１実施形態に係る保護具の一例を示す斜視図である。
【図２】第１実施形態に係る保護具にネットを配置した一例を示す斜視図である。
【図３】第１実施形態に係る保護具の動作の一例を示す斜視図である。
【図４】第２実施形態に係る保護具の一例を示す斜視図である。
【図５】第３実施形態に係る保護具の一例を示す斜視図である。
【図６】干潟に配置する保護網の斜視図である。
【発明を実施するための形態】
【００１０】
本明細書および添付図面の記載により、少なくとも以下の事項が明らかとなる。なお、以下説明において、Ｘ軸は保護具の幅方向の軸であり、Ｙ軸は保護具の奥行方向の軸であり、Ｚ軸は保護具の高さ方向の軸である。また、Ｘ軸に沿う方向を「Ｘ方向」と示し、Ｙ軸に沿う方向を「Ｙ方向」と示し、Ｚ軸に沿う方向を「Ｚ方向」と示すこともある。また、「Ｘ方向」、「Ｙ方向」、「Ｚ方向」の夫々の＋側には「＋」を付けて示し、−側には「−」を付けて示すこともある。
【００１１】
＝＝＝従来の保護網１０００＝＝＝
図６を参照しつつ、干潟に配置される従来の保護網１０００について、説明をする。図６は、干潟に配置する保護網１０００の斜視図である。
【００１２】
図６に示すように、保護網１０００は、底生生物を他の生物の捕食から保護するための網である。保護対象である貝などの底生生物を取り囲むように保護枠２０００を配置し、保護枠２０００の上面を覆うように保護網１０００が取り付けられる。さらに、図示していないが、満潮時において保護網１０００が浮くように、空のペットボトルなどの浮きを設けることもある。
【００１３】
しかし、上述した保護網１０００は、陸地に対して、ほぼ高さを設けず水平に配置されるため、満潮から干潮に移り変わるときに運ばれる泥やヘドロが、その表面に付着する。これにより、保護している底生生物に対して、自然環境よりも劣悪な環境を与えてしまうため、その成育に影響を与える。
【００１４】
そこで、干潟などの潮の満ち引きの影響を受けるような場所において、干潮時の水位の低下を利用して、保護網１０００（ネット）から泥やヘドロを剥離する保護具について、以下のとおり詳細に説明する。
【００１５】
＝＝＝第１実施形態に係る保護具１００＝＝＝
図１、図２、図３を参照しつつ、第１実施形態に係る保護具１００について、以下のとおり説明をする。図１は、第１実施形態に係る保護具１００の一例を示す斜視図である。図２は、第１実施形態に係る保護具１００にネット１１２を配置した一例を示す斜視図である。図３は、第１実施形態に係る保護具１００の動作の一例を示す斜視図である。
【００１６】
保護具１００は、干潟や河口付近などの、潮の満ち引きの影響を受ける場所において、底生生物を他の生物の捕食から保護するものである。保護具１００は、潮が引いていくときに、ネット１１２に付着した泥やヘドロを剥離できるように、構成されている。これにより、自然環境に近い状況において、底生生物を育成することができる。
【００１７】
保護具１００は、例えば、保護具本体１１０と、ガイド部材１２０と、清掃部材１３０と、固定部材１４０と、を含んで構成されている。
【００１８】
＜＜保護具本体１１０＞＞
保護具本体１１０は、底生生物が生息する領域を枠体で取り囲むように配置され、底生生物を他の生物の捕食から保護する部材である。
【００１９】
保護具本体１１０は、例えば、フレーム構造体１１１と、ネット１１２と、を含んで構成されている。
【００２０】
フレーム構造体１１１は、陸上に載置された状態において、Ｘ軸とＹ軸に沿う平面に沿って形成される仮面（以下、「下面」と称する。）が陸上と水平に形成される。そして、下面と＋Ｚ方向で対向する仮面（以下、「上面」と称する。）は、＋Ｙ方向側から−Ｙ方向側に向かうに従って、−Ｚ方向に向かって傾斜するように形成される。これにより、後述する清掃部材１３０が、水位の低下にともなって、後述するガイド部材１２０に沿って移動できる。なお、上面と下面の間に設けられる仮面を側面として、以下説明する。
【００２１】
図１に示すように、フレーム構造体１１１は、例えば、第１フレーム部材１１１Ａ〜第６フレーム部材１１１Ｆと、固定孔１１１Ｇと、を含んで構成されている。
【００２２】
第１フレーム部材１１１Ａ〜第６フレーム部材１１１Ｆは、例えば、ステンレス材料で形成され、円柱又は四角柱形状を呈している。夫々の第１フレーム部材１１１Ａ〜第６フレーム部材１１１Ｆは、溶接などで接続されている。第１フレーム部材１１１Ａ〜第６フレーム部材１１１Ｆの配置および夫々の接続関係について、以下のとおり詳細に述べる。
【００２３】
第１フレーム部材１１１Ａは、陸地に対して鉛直に設けられる、一対の部材である。同様に、第２フレーム部材１１１Ｂは、陸地に対して鉛直に設けられる、一対の部材である。第１フレーム部材１１１Ａと第２フレーム部材１１１Ｂは、Ｚ方向からみたときに、例えば夫々を結ぶ仮線が略長方形を形成するように配置されている。第１フレーム部材１１１Ａは、第２フレーム部材１１１Ｂよりも長く形成されている。また、第１フレーム部材１１１Ａの＋Ｚ方向側の端部と、第２フレーム部材１１１Ｂの＋Ｚ方向側の端部と、を第３フレーム部材１１１Ｃで繋いでいる。これにより、上述したような、上面の傾斜が形成される。
【００２４】
また、第１フレーム部材１１１Ａの−Ｚ方向側の端部と、第２フレーム部材１１１Ｂの−Ｚ方向側の端部と、を第４フレーム部材１１１Ｄで繋いでいる。一対の第１フレーム部材１１１Ａは、その＋Ｚ方向側の端部を、第５フレーム部材１１１Ｅ（以下、「第１端辺」として説明することもある。）で繋ぎ、その−Ｚ方向側の端部を、第６フレーム部材１１１Ｆで繋いでいる。同様に、一対の第２フレーム部材１１１Ｂは、その＋Ｚ方向側の端部を第５フレーム部材１１１Ｅ（以下、「第２端辺」として説明することもある。）で繋ぎ、その−Ｚ方向側の端部を第６フレーム部材１１１Ｆで繋いでいる。これにより、フレーム構造体１１１が形成される。
【００２５】
図２に示すように、固定孔１１１Ｇは、後述する固定部材１４０が挿通される孔である。固定孔１１１Ｇは、例えば、第１フレーム部材１１１Ａおよび第２フレーム部材１１１Ｂの−Ｚ方向側の端部において、夫々のフレーム部材と一体的に設けられる。つまり、下面の角部に設けられる。フレーム構造体１１１が陸地に載置された状態において、固定孔１１１Ｇに固定部材１４０を挿通することにより、フレーム構造体１１１が陸地に固定される。
【００２６】
ネット１１２は、図２に示すように、フレーム構造体１１１を覆う網である。ネット１１２は、海水で劣化しない、例えば樹脂材料で形成されている。ネット１１２は、フレーム構造体１１１の下面を除く部分をカバーする大きさで形成される。ただし、一つのネット１１２でカバーしてもよいし、複数個のネット１１２でカバーしてもよく、その大きさ及び形状が限定されるものではない。これにより、フレーム構造体１１１で囲まれる領域に存在する底生生物を、他の生物の捕食から保護できる。
【００２７】
＜＜ガイド部材１２０＞＞
図１に示すように、ガイド部材１２０は、フレーム構造体１１１と組み合わせることにより、後述する清掃部材１３０を一定方向にガイドする部材である。ガイド部材１２０は、例えばステンレス材料で形成される。ただし、異種金属の接触で生じる電蝕を防止するために、フレーム構造体１１１と同材料とする。ガイド部材１２０は、例えばコ型形状を呈し、フレーム構造体１１１の第３フレーム部材１１１Ｃと接合して、ガイド部１２１を形成する。
【００２８】
＜＜清掃部材１３０＞＞
図２に示すように、清掃部材１３０は、満潮から干潮に移行するときに、ネット１１２に付着する泥やヘドロを剥離する部材である。清掃部材１３０は、例えば、樹脂材料で形成され、棒形状を呈する。清掃部材１３０は、本体部材１３１と、ブラシ部１３２と、連接部材１３３と、を含んで構成されている。
【００２９】
本体部材１３１は、例えば中空の円柱形状を呈する。本体部材１３１の長手方向（Ｘ方向）の長さは、一対のガイド部材１２０の間の長さに略等しい長さである。本体部材１３１の直径は、後述する連接部材１３３とガイド部材１２０が連接した状態において、上面を覆うネット１１２に接触する程度の大きさである。なお、本体部材１３１は、中空であるか否かは限定されず、水に浮くように設計されていればよい。
【００３０】
ブラシ部１３２は、本体部材１３１の周面から放射状に設けられるブラシである。ブラシ部１３２は、例えば樹脂材料で形成される。ブラシ部１３２は、本体部材１３１と一体に設けられるか、本体部材１３１の周面に接着して設けられるか、は限定されず、清掃部材１３０がガイド部材１２０に連接した状態において、ブラシ部１３２が上面を覆うネット１１２と接触するように設けられていればよい。したがって、ブラシ部１３２は、本体部材１３１の周面の全面に亘って設けられている必要もなく、例えば、ネット１１２と接触する本体部材１３１の半周面に亘って設けられていてもよい。
【００３１】
連接部材１３３は、本体部材１３１とガイド部材１２０を連接する部材である。連接部材１３３は、例えば、樹脂材料で形成され、紐形状を呈する。連接部材１３３は、図示していないが、例えば連接部材１３３を所定の長さに調整する調整部（不図示）を備えていてもよい。具体的に述べると、ガイド部材１２０に本体部材１３１を連接する際に、作業員は、調整部（不図示）の一方の孔に連接部材１３３を挿通しつつ、ガイド部材１２０に連接部材１３３を巻付けて、他方の孔に連接部材１３３を挿通するとともに、連接部材１３３の長さを調整する。そして、所望の長さで連接部材１３３をストッパー（不図示）で固定する。なお、所望の長さとは、本体部材１３１の自重により連接部材１３３がガイド部材１２０を摺動できる程度の、連接部材１３３とガイド部材１２０の間の摩擦力をもたらす長さである。つまり、連接部材１３３は、満潮から干潮へ移行するときに、水位の低下にともなって、ガイド部材１２０に沿って下降する。連接部材１３３が下降する際に、ネット１１２の表面に接触しているブラシ部１３２が、ネット１１２の表面に付着している泥やヘドロを剥離する。
【００３２】
＜＜固定部材１４０＞＞
図１、図２に示すように、固定部材１４０は、保護具本体１１０を陸上に固定する部材である。固定部材１４０は、例えば、ステンレス材料で形成され、一端部が鋭利な形状を呈し、他端部が円形状を呈する。固定部材１４０は、その一端部を固定孔１１１Ｇに挿通されるとともに、陸中に向かって打ち込まれる。打ち込まれたときに、他端部が固定孔１１１Ｇに引っかかることで、保護具本体１１０を陸上に固定する。
【００３３】
＝＝＝保護具１００の動作＝＝＝
図３を参照しつつ、保護具１００の動作について、以下のとおり説明をする。
【００３４】
干潟では、満潮時に水位が上がり、干潮時に水位が下がる。そして、干潟に保護具１００を配置すると、満潮時には保護具１００の全体が水没し、干潮時には保護具１００の全体が陸上に露出する。
【００３５】
満潮から干潮に移行するとき、水位が第１フレーム部材１１１Ａの＋Ｚ方向側の端部まで低下すると、清掃部材１３０が水面に露出する。なお、このときの水位を第１水位として、以下説明をする。このとき、清掃部材１３０は、ネット１１２の表面に接触しつつも、浮力が働いているため、水面に浮遊している。さらに水位が低下すると、清掃部材１３０は、水位の低下にともなって、ネット１１２の表面に接触しながら、ガイド部１２１に沿って下降する。このとき、図３に示すように、清掃部材１３０は、そのブラシ部１３２でネット１１２の表面に付着している泥やヘドロを剥離する。水位が第２フレーム部材１１１Ｂの＋Ｚ方向側の端部まで低下すると、清掃部材１３０は、その位置にとどまる。なお、このときの水位を第２水位として、以下説明をする。
【００３６】
干潮から満潮に移行するとき、清掃部材１３０は、上記と逆の動作をする。なお、フレーム構造体１１１は、満潮時には水没するが、固定部材１４０で陸上に固定されているため、水中で移動しない。
【００３７】
＝＝＝第２実施形態に係る保護具２００＝＝＝
図４を参照しつつ、第２実施形態に係る保護具２００について、以下のとおり説明をする。図４は、第２実施形態に係る保護具２００の一例を示す斜視図である。
【００３８】
図４に示すように、保護具２００は、例えば、保護具本体２１０と、ガイド部材２２０と、清掃部材２３０と、固定部材２４０と、を含んで構成されている。なお、第２実施形態に係る保護具２００におけるガイド部材２２０、清掃部材２３０および固定部材２４０については、第１実施形態に係る保護具１００におけるガイド部材１２０、清掃部材１３０および固定部材１４０と同じものであるため、その説明を省略する。
【００３９】
保護具本体２１０は、フレーム構造体２１１と、柵状部材２１２と、を含んで構成されている。なお、フレーム構造体２１１は、第１実施形態に係るフレーム構造体１１１と同じものであるため、その説明を省略する。つまり、保護具本体２１０は、第１実施形態に係る保護具本体１１０におけるネット１１２を、柵状部材２１２に替えて構成されているものである。
【００４０】
柵状部材２１２は、図４に示すように、フレーム構造体２１１の上面および側面から、他の生物が侵入するのを防止する柵である。柵状部材２１２は、フレーム構造体２１１の下面を除く仮面（上面および側面）に、例えば柵を形成するように設けられている。柵状部材２１２は、例えば、ステンレス材料で形成され、複数の棒状部材で構成される。より具体的には、例えば、柵状部材２１２は、複数本のステンレス鋼棒を対向する一対の第５フレーム部材２１１Ｅの間に橋設しつつ、第５フレーム部材２１１Ｅの長手方向に沿って一定間隔に並設して、構成されている。同様に、第５フレーム部材２１１Ｅと第６フレーム部材２１１Ｅの間、第３フレーム部材３１１Ｃと第４フレーム部材２１１Ｄの間、にも設けられる。夫々のステンレス棒鋼の間の距離は、例えば鳥類が侵入できない程度の距離であればよく、その距離が限定されるものではない。これにより、フレーム構造体２１１で囲まれる領域にいる底生生物を、他の生物の捕食から保護できる。
【００４１】
＝＝＝第３実施形態に係る保護具３００＝＝＝
図５を参照しつつ、第３実施形態に係る保護具３００について、以下のとおり説明をする。図５は、第３実施形態に係る保護具３００の一例を示す斜視図である。
【００４２】
図５に示すように、保護具３００は、例えば、保護具本体３１０と、ガイド部材３２０と、清掃部材３３０と、固定部材３４０と、を含んで構成されている。なお、第３実施形態に係る保護具３００における保護具本体３１０、ガイド部材３２０および固定部材３４０については、第１実施形態に係る保護具１００における保護具本体１１０、ガイド部材１２０および固定部材１４０と同じものであるため、その説明を省略する。
【００４３】
清掃部材３３０は、本体部材３３１と、ブラシ部３３２と、連接部材３３３と、フロート部材３３４と、を含んで構成されている。なお、本体部材３３１、ブラシ部３３２および連接部材３３３は、第１実施形態に係る本体部材１３１、ブラシ部１３２および連接部材１３３と同じものであるため、その説明を省略する。つまり、清掃部材３３０は、第１実施形態に係る清掃部材１３０にフロート部材３３４を付加して構成されるものである。
【００４４】
フロート部材３３４は、図５に示すように、本体部材３３１が水面の上下に応じて移動できるように、本体部材３３１に浮力を与える部材である。つまり、第３実施形態における本体部材３３１は、水に浮く材質でなくてもよいため、樹脂材料で形成されていなくてもよい。
【００４５】
フロート部材３３４は、例えば、本体部材３３１の直径と略等しい直径を有する円柱形状を呈し、発泡スチロールで形成されている。フロート部材３３４は、例えば本体部材３３１の両端部に設けられている。これにより、本体部材３３１は、両端部に浮力が与えられるため、水面の上下に応じて移動できる。なお、フロート部材３３４と本体部材３３１の両端部の接続については、夫々の端面を接着させて一体と見えるように構成されていてもよいし、フロート部材３３４が本体部材３３１の端面から離れて、連接部材３３３の一部を覆うように設けられていてもよい。なお、図５では、一例として、フロート部材３３４が連結部材３３３の端面から離れて設けられている状態を示している。
【００４６】
尚、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。例えば、以下に示すようなものも含まれる。
【００４７】
＝＝＝その他の実施形態＝＝＝
＜＜保護具本体１１０，２１０，３１０＞＞
保護具本体１１０，２１０，３１０のネット１１２，３１２や柵２１２は、フレーム構造体１１１，２１１，３１１の下面を除く部分をカバーする大きさで形成されるとして説明したが、これに限定されない。少なくとも上面を覆うように設けられていればよく、側面にはネット１１２，３１２や柵２１２ではなく、例えば水が通過する隙間を有する板状のもので閉塞してもよい。
【００４８】
＜＜清掃部材１３０，２３０，３３０＞＞
上記において、清掃部材１３０，２３０，３３０にはブラシ部１３２，２３２，３３２が設けられているとして説明したが、これに限定されない。例えば、ブラシ部１３２，２３２，３３２の代わりに、本体部材１３１，２３１，３３１に凹凸を設けてもよい。なお、凹凸は、ネット１１２，３１２の網目および柵状部材２１２の隙間よりも小さく形成されることとする。網目や隙間に凹凸の凸部が嵌り込むことにより、泥やヘドロを剥離できるためである。
【００４９】
上記において、連接部材１３３，２３３，３３３は紐形状であるとして説明したが、これに限定されない。例えば、連接部材１３３，２３３，３３３は、棒状のものであって、一端部を本体部材１３１，２３１，３３１に接続し、他端部は、ガイド部１２１，２２１，３２１に挿通しつつ、ガイド部１２１，２２１，３２１から抜け出さないように、例えば円盤状の留め具が接続されているものであってもよい。さらに、円盤状の留め具が発砲スチロールなどの浮体で形成されていてもよい。
【００５０】
上記において、フロート部材３３４は発砲スチロールで形成されているとして説明したが、これに限定されない。水に浮く材質のものであればよい。
【００５１】
上記において、フロート部材３３４は本体部材３３１の両端部に浮力を与えるように配置されているとして説明したが、これに限定されない。本体部材３３１の所定の箇所（例えば＋Ｚ方向側の半周面）に設けられていてもよい。本体部材３３１に浮力を与えればよいためである。
【００５２】
＜＜固定部材１４０，２４０，３４０＞＞
上記において、保護具１００，２００，３００は固定部材１４０，２４０，３４０を含んで構成されているとして説明したが、これに限定されない。例えば、固定部材１４０，２４０，３４０を含んでいなくてもよく、別途用意をする重石などで保護具１００，２００，３００を陸上に固定してもよい。この場合、フレーム構造体１１１，２１１，３１１は、固定孔１１１Ｇ，２１１Ｇ，３１１Ｇを含んで構成していなくてもよい。
【００５３】
＝＝＝まとめ＝＝＝
以上説明したように、本実施形態に係る保護具１００，２００，３００は、干潟で育成される底生生物を外敵から守るべく底生生物を覆うように設置される保護具１００，２００，３００であって、開口する下面と、第１水位において第１端辺が水面から現れ、第１水位より低い第２水位において、第１端辺とは反対側の第２端辺が水面から現れるように傾斜する上面と、下面と上面の間に設けられる側面と、で構成されるとともに、上面にネット１１２，３１２又は柵２１２が設けられる保護具本体１１０，２１０，３１０と、水面に浮きながら、第１水位から第２水位へ移行するにつれて、第１端辺から第２端辺に向かって、上面上の付着物を取り除くように上面上を移動する清掃部材１３０，２３０，３３０と、を備えることを特徴とする。本実施形態によれば、干潟における水位変化に応じて、清掃部材１３０，２３０，３３０がフレーム構造体１１１，２１１，３１１の上面に接触しながら、上面に沿って下降するため、ネット１１２，３１２又は柵２１２の表面に付着している泥やヘドロを剥離することができるため、作業員による泥の除去作業を縮減できる。
【００５４】
又、本実施形態に係る保護具１００，２００，３００において、清掃部材１３０，２３０，３３０を上面に沿って案内するように、上面の両側部に設けられるガイド部材１２０，２２０，３２０と、を有して構成されることを特徴とする。本実施形態によれば、上面に沿って保護具本体１１０，２１０，３１０が上面に接触しながら、確実に上面に沿って下降することができる。
【００５５】
又、本実施形態に係る保護具１００，２００において、清掃部材１３０，２３０は、筒型を呈し、水に浮く樹脂材料で形成される本体部材１３１，２３１と、本体部材１３１，２３１の両端部をガイド部材１２０，２２０に連接する連接部材１３３，２３３と、を有して構成されることを特徴とする。本実施形態によれば、樹脂製を用いることにより塩水による腐食を回避することができるため、製作コストの縮減が図れる。
【００５６】
又、本実施形態に係る保護具３００において、清掃部材は、筒型を呈する本体部材３３１と、本体部材３３１の両端部をガイド部材３２０に連接する連接部材３３３と、本体部材３３１に浮力を与えるべく、本体部材３３１に装着されるフロート部材３３４と、を有して構成されることを特徴とする本実施形態によれば、フロート部材３３４を付けることにより、本体部材３３１の材質の種類にとらわれず製作できるため、製作コストの縮減が図れる。
【００５７】
又、本実施形態に係る保護具１００，２００，３００において、清掃部材１３０，２３０，３３０は、上面上を移動するときに、上面に付着している付着物をはぎ取るためのブラシ部１３２，２３２，３３２を有することを特徴とする。本実施形態によれば、ネット１１２，３１２または柵状部材２１２に付着する泥やヘドロを効率よく剥離することができるため、作業効率の向上が図れる。
【００５８】
又、本実施形態に係る保護具１００，２００，３００において、保護具本体１１０，２１０，３１０の側面にネット１１２，３１２又は柵２１２が設けられることを特徴とする。本実施形態によれば、干潮時において、側面からの鳥類の侵入を排除することができる。
【００５９】
又、本実施形態に係る保護具１００，２００，３００において、保護具本体１１０，２１０，３１０を干潟に固定するための固定部材１４０，２４０，３４０と、をさらに備えて構成される。本実施形態によれば、固定部材１４０，２４０，３４０により保護具本体１１０，２１０，３１０を強固に固定することができるため、安全性を向上が図れる。
【符号の説明】
【００６０】
１００，２００，３００    保護具
１１０，２１０，３１０    保護具本体
１１１，２１１，３１１    フレーム構造体
１１２，３１２    ネット
２１２    柵
１２０，２２０，３２０    ガイド部材
１３０，２３０，３３０    清掃部材
１３１，２３１，３３１    本体部材
１３２，２３２，３３２    ブラシ部
１３３，２３３，３３３    連接部材
１４０，２４０，３４０    固定部材
３３４    フロート部材
【図１】
2018068129.tif 000003
【図２】
2018068129.tif 000004
【図３】
2018068129.tif 000005
【図４】
2018068129.tif 000006
【図５】
2018068129.tif 000007
【図６】
2018068129.tif 000008